(57)【特許請求の範囲】
【請求項１】
簀の子と、
内側面及び底面が形成されたシンクと、
両端部が前記シンクの前記内側面に接続されて、前記シンクの前記内側面と共に前記簀の子を挿入して保持可能な閉空間を形成し、かつ、前記簀の子の縁辺部又はその近傍を載置可能に設けられた架設材とを有することを特徴とする動物用処置台。
【請求項２】
前記シンクは、相対向する１組又は複数組の前記内側面が形成され、
前記架設材は、前記両端部が前記シンクの相対向する前記内側面の間にそれぞれ接続されていることを特徴とする請求項１に記載の動物用処置台。
【請求項３】
前記架設材は、前記シンクの前記底面から同じ高さとなる位置に２本架設されていることを特徴とする請求項２に記載の動物用処置台。
【請求項４】
前記架設材は、架設された２本の前記架設材のそれぞれの下方に、前記シンクの前記底面から同じ高さとなる位置にさらに２本架設されていることを特徴とする請求項３に記載の動物用処置台。
【請求項５】
前記シンクは、１つの前記内側面に下側の部分が手前に突出するような段差部が形成され、
前記架設材は、前記シンクの開口部近傍の位置と、前記シンクの前記底面に対して前記シンクの前記段差部と同じ又は近い高さとなる位置とに２本ずつ架設され、
前記段差部に設けられた給水栓をさらに有することを特徴とする請求項４に記載の動物用処置台。
【請求項６】
前記簀の子を２枚有すると共に、
２枚の前記簀の子は、前記シンクの前記段差部が形成された高さにおける開口部の面積の２分の１より小さく、かつ、前記シンクの前記開口部近傍の位置と、前記シンクの前記底面に対して前記シンクの前記段差部と同じ又は近い高さとなる位置とにそれぞれ２本架設された前記架設材に載置可能な大きさにそれぞれ形成されていることを特徴とする請求項５に記載の動物用処置台。
【発明の詳細な説明】
【技術分野】
【０００１】
本発明は、動物用処置台に関し、特に獣医師やペット美容師などが動物に対して洗浄などの処置を行うための動物用処置台に関する。
【背景技術】
【０００２】
動物用処置台は、例えば、動物病院において、犬や猫、フェレット、うさぎなどの動物に対して手術準備として体を洗浄したり、けがをした動物のよごれや血液を洗い流したり、緊急処置をするために利用するものである。また、ペット美容師がシャンプーをするときなどにも利用されている。この種の動物用処置台では、処置中又は処置前後における動物の取り扱いを容易にするために簀の子を載置してあるものが多い。この簀の子は、処置する動物が暴れたときなどに跳ね上がるなどして動物や獣医師などがけがをすることがないように、堅牢に作られており、それなりの重量も有する。そこで、このような動物用処置台では、簀の子の扱いが簡単であり、さらに汚水等が周囲に飛び散らないようにすることが課題となっている。
【０００３】
図１４は、従来技術に係る動物用処置台の一例を示す斜視図である。図１４において、４０は動物用処置台、４１はカバー体、４２及び４３は簀の子、４４はシャワーヘッド、４５は給水栓ハンドルである。図１４は、特開２００６−１９７８１５公報において開示されている動物用処置台である。動物用処置台４０は、シンクの開口部と中段部との両方に簀の子４２及び４３を載置することができ、逆にこれらの簀の子を取り外すこともできる。さらに、簀の子４２及び４３をシンクの開口部に載置するときには、カバー体４１も併せて載置することによって開口部を完全に覆うこともできる。くわえて、カバー体４１を取り外せば、簀の子４２及び４３を水平にスライドさせることも可能であり、簀の子を１枚だけ使うこともできる。したがって、動物の体の大きさや状況、処置の種類に応じて多様で機動的な使い方ができる上に、簀の子も開口部に対して１枚ではなく、２枚に分割した大きさなどで軽く扱いやすくなっている。また、シンクの中段部分にシャワーヘッド４４と給水栓ハンドル４５を設けており、汚水等が周囲に飛び散らないようになっている。
【０００４】
しかしながら、簀の子を自在に着脱できて機動的に利用できるようになると、取り外した簀の子をどうするかが新たな課題となってくる。すなわち、取り外した簀の子を床に置いた場合には、獣医師等がこれにつまずくおそれがある。また、簀の子が濡れていると、床も濡れて滑りやすくなる。棚やテーブルなどに置く場合には、周囲に置いてある器具等が濡れる可能性がある上に、衛生管理の面で新たな課題を生じることになる。
【先行技術文献】
【特許文献】
【０００５】
【特許文献１】特開２００６−１９７８１５公報
【発明の概要】
【発明が解決しようとする課題】
【０００６】
本発明は、上記課題を解決するために、簀の子の載置や取り外しが容易で機動的な使い方が可能であり、かつ、取り外した簀の子を獣医師等の処置の妨げにならない状態で保持できる動物用処置台を提供することを目的とする。
【課題を解決するための手段】
【０００７】
請求項１に記載の発明は、簀の子と、内側面及び底面が形成されたシンクと、両端部が前記シンクの前記内側面に接続されて、前記シンクの前記内側面と共に前記簀の子を挿入して保持可能な閉空間を形成し、かつ、前記簀の子の縁辺部又はその近傍を載置可能に設けられた架設材とを有することを特徴とする動物用処置台である。
【０００８】
請求項２に記載の発明は、請求項１に記載の発明において、前記シンクは、相対向する１組又は複数組の前記内側面が形成され、前記架設材は、前記両端部が前記シンクの相対向する前記内側面の間にそれぞれ接続されていることを特徴とする動物用処置台である。
【０００９】
請求項３に記載の発明は、請求項２に記載の発明において、前記架設材は、前記シンクの前記底面から同じ高さとなる位置に２本架設されていることを特徴とする動物用処置台である。
【００１０】
請求項４に記載の発明は、請求項３に記載の発明において、前記架設材は、架設された２本の前記架設材のそれぞれの下方に、前記シンクの前記底面から同じ高さとなる位置にさらに２本架設されていることを特徴とする動物用処置台である。
【００１１】
請求項５に記載の発明は、請求項４に記載の発明において、前記シンクは、１つの前記内側面に下側の部分が手前に突出するような段差部が形成され、前記架設材は、前記シンクの開口部近傍の位置と、前記シンクの前記底面に対して前記シンクの前記段差部と同じ又は近い高さとなる位置とに２本ずつ架設され、前記段差部に設けられた給水栓をさらに有することを特徴とする動物用処置台である。
【００１２】
請求項６に記載の発明は、請求項５に記載の発明において、前記簀の子を２枚有すると共に、２枚の前記簀の子は、前記シンクの前記段差部が形成された高さにおける開口部の面積の２分の１より小さく、かつ、前記シンクの前記開口部近傍の位置と、前記シンクの前記底面に対して前記シンクの前記段差部と同じ又は近い高さとなる位置とにそれぞれ２本架設された前記架設材に載置可能な大きさにそれぞれ形成されていることを特徴とする動物用処置台である。
【発明の効果】
【００１３】
請求項１に記載の発明によれば、シンクの内側面と架設材とで形成された閉空間に簀の子を挿入して保持できるので、簀の子を床の上などに置く場合の課題を解消できる。また、架設材に対して簀の子を載置できるので、例えばシンクの底面側を狭くして段差を形成するなどの手段によって簀の子を載置する手段の一部又は全部を設ける必要がなくなる。
【００１４】
請求項２に記載の発明によれば、架設材の両端部をシンクの相対向する内側面の間にそれぞれ接続しているので、例えば簀の子の長さがシンクの開口部の長さに近い場合など、簀の子が大型である場合などにおいて簀の子の収納が容易になる。
【００１５】
請求項３に記載の発明によれば、架設材をシンクの底面から同じ高さとなる位置に２本架設しているので、これらの架設材の上に簀の子をそのまま載置することができ、他に簀の子を載置するための手段を設ける必要がない。
【００１６】
請求項４に記載の発明によれば、２本の架設材のそれぞれの下方にシンクの底面から同じ高さとなる位置にさらに２本の架設材を架設しているので、上方又は下方のいずれかの高さの架設材を選択して簀の子を載置することができる。したがって、動物の体の大きさや、処置の種類に応じて多様で機動的な使い方ができるようになる。
【００１７】
請求項５に記載の発明によれば、段差部を利用して給水栓を設けることができ、さらにこの給水栓の高さに応じた位置に簀の子を載置することができる。また、シンクの開口部近傍の高い位置にも架設材を架設しているので、小動物に対する処置も容易になる。
【００１８】
請求項６に記載の発明によれば、簀の子を２枚にし、シンクの前記段差部が形成された高さにおける開口部の面積の２分の１より小さく、かつ、シンクの開口部近傍の位置と、シンクの底面に対してシンクの段差部と同じ又は近い高さとなる位置とにそれぞれ２本架設された架設材に載置可能な大きさにそれぞれ形成しているので、１枚当たりの簀の子が軽く扱いやすくなる上に、簀の子がシンクの開口部を塞ぐのにちょうどよい大きさとなる。
【図面の簡単な説明】
【００１９】
【図１】第１の実施の形態に係る動物用処置台における簀の子の挿脱手順の一例を示す一部を破断した右側面図（１）である。
【図２】第１の実施の形態に係る動物用処置台における簀の子の挿脱手順の一例を示す一部を破断した右側面図（２）である。
【図３】第１の実施の形態に係る動物用処置台における簀の子の挿脱手順の一例を示す一部を破断した右側面図（３）である。
【図４】第１の実施の形態に係る動物用処置台の平面図であり、（ａ）は上段に簀の子を載置した状態、（ｂ）は下段に簀の子を載置した状態である。
【図５】第１の実施の形態に係る動物用処置台の平面図であり、（ａ）は２枚を同じ側に簀の子を収納した状態、（ｂ）は２枚を異なる側に簀の子を収納した状態である。
【図６】第１の実施の形態に係る動物用処置台の正面図であり、（ａ）は上段に簀の子を載置した状態、（ｂ）は下段に簀の子を載置した状態である。
【図７】第１の実施の形態に係る動物用処置台の右側面図であり、（ａ）は上段に簀の子を載置した状態、（ｂ）は下段に簀の子を載置した状態である。
【図８】架設材の変形例を示す一部を破断した右側面図である。
【図９】第２の実施の形態に係る動物用処置台を示す図であり、（ａ）は一部を破断した右側面図、（ｂ）は簀の子を取り外した状態の平面図である。
【図１０】第３の実施の形態に係る動物用処置台を示す図であり、（ａ）は簀の子を収納した状態の平面図、（ｂ）は簀の子を収納した状態の正面図である。
【図１１】第４の実施の形態に係る動物用処置台を示す図であり、（ａ）は一部を破断した右側面図、（ｂ）は簀の子を収納した状態の平面図である。
【図１２】第４の実施の形態に係る動物用処置台における簀の子を取り外した状態の正面図である。
【図１３】第５及び第６の実施の形態に係る動物用処置台を示す図であり、（ａ）は第５の実施の形態に係る動物用処置台の平面図、（ｂ）は第６の実施の形態に係る動物用処置台の平面図である。
【図１４】従来技術に係る動物用処置台の一例を示す斜視図である。
【発明を実施するための形態】
【００２０】
以下に本発明の第1の実施の形態に係る動物用処置台を図面に基づいて説明する。なお、従来技術との対比を容易にするために、従来技術をそのまま適用している部分、例えば動物用処置台全体の高さ又は幅、シャワーヘッド、給水栓ハンドル又は排水トラップの形状などについて、当該部分の形状又は構造を図１４と同じものとして表しているが、本発明の適用は図面に表したものに限られるものではなく、これらの形状又は構造は適宜変更可能である。
【００２１】
図４は、第１の実施の形態に係る動物用処置台の平面図であり、（ａ）は上段に簀の子を載置した状態、（ｂ）は下段に簀の子を載置した状態である。図４において、１０は動物用処置台、１１ａ及び１１ｂは架設棒、２０及び２１は簀の子、２２はシンク、２３は段差部、２４ａ、２４ｂ、２４ｃ及び２４ｄは枠部、２５はシャワーノズル、２６は給水栓ハンドルである。また、図５は、第１の実施の形態に係る動物用処置台の平面図であり、（ａ）は２枚を同じ側に簀の子を収納した状態、（ｂ）は２枚を異なる側に簀の子を収納した状態である。図５において、２２ａ、２２ｂ、２２ｃ及び２２ｄは内側面、２２ｅは底面、２７は排水トラップであり、その他の符号は図４と同じものを示す。さらに、図6は、第１の実施の形態に係る動物用処置台の正面図であり、（ａ）は上段に簀の子を載置した状態、（ｂ）は下段に簀の子を載置した状態である。図６において、１２ａ及び１２ｂは架設棒
用いたであり、その他の符号は図５と同じものを示す。くわえて、図７は、第１の実施の形態に係る動物用処置台の右側面図であり、（ａ）は上段に簀の子を載置した状態、（ｂ）は下段に簀の子を載置した状態である。図７において用いた符号は、すべて図６と同じものを示す。
【００２２】
動物用処置台１０は、図６及び図７に示すように、ほぼ直方体の内部空間を持つシンク２２の開口部、すなわち枠部２４ａ、２４ｂ、２４ｃ及び２４ｄに囲まれた高い位置に、丸棒状の架設棒１１ａ及び１１ｂを設けている。さらに、シンク２２の内部のより深い位置に丸棒状の架設棒１２ａ及び１２ｂを設けている。架設棒１１ａ及び１１ｂは、図５に示すように、シンク２２の内側面２２ａと内側面２２ｄとの間に架設されている。これらの内側面に架設された架設棒１１ａ及び１１ｂは、内側面２２ｂ及び２２ｃと平行に対してなる。くわえて、架設棒１１ａ及び１１ｂは、底面２２ｅから同じ高さで、かつ、上端が枠部２４ａ、２４ｂ、２４ｃ及び２４ｄの上面よりも簀の子２０及び２１の厚みだけ低くなるように配置されている。また、架設棒１１ａと架設棒１１ｂとの間隙は、簀の子２０及び２１の長手方向の長さよりも短い。
【００２３】
くわえて、簀の子２０及び２１の長手方向の長さは、内側面２２ｂと内側面２２ｃとの間隙よりも若干短い。また、簀の子２０と簀の子２１とを合わせた面積は、シンク２２の段差部２３が形成された高さにおける開口部の面積の２分の１より小さく、かつ、架設棒１１ａ及び１１ｂと架設棒１２ａ及び１２ｂとに載置可能な、すなわちこれらの架設棒に載置できずに落下することのないものとしている。したがって、簀の子２０及び２１がこれらの架設棒から落下せず、さらに架設棒１１ａ及び１１ｂと、架設棒１２ａ及び１２ｂとのいずれに載置しても周囲に余分な開口ができて、動物の脚などがこの開口から下に抜けてしまうことがない。なお、シャワーノズル２５及び給水栓ハンドル２６の上方は、洗浄や給湯等の操作のために、簀の子２０及び２１を載置しても開放状態になるようにしている。なお、本発明では、シンク２２の長さ、幅又は深さを図４等と異なるものに適宜変更してもよい。また、シンク２２の長さ、幅等に応じて、簀の子の枚数を１枚、３枚、４枚又は５枚以上に変更してもよい。また、簀の子の外形は、長方形板状以外の形状、例えば正方形板状や、平行四辺形板状にしてもよい。くわえて、架設棒に載置する上で、かつ余分な開口を生じない範囲で差し支えない範囲で、長円形など曲線的な外形にしてもよい。
【００２４】
このような架設棒１１ａ及び１１ｂを設けることによって、簀の子２０及び２１を長手方向が内側面２２ｂ及び２２ｃと平行となるように架設棒１１ａ及び１１ｂに載置すると、図４（ａ）、図６（ａ）及び図７（ａ）に示すように、簀の子２０及び２１は架設棒１１ａ及び１１ｂに支持された状態となる。また、簀の子２０及び２１の上面は、枠部２４ａ、２４ｂ、２４ｃ及び２４ｄの上面とほぼ同じ高さとなる。したがって、この実施の形態に係る動物用処置台１０は、従来技術に係る動物用処置台のように、枠部２４ａ、２４ｂ、２４ｃ及び２４ｄに簀の子２０及び２１を載置するために段差部を形成する必要がない。また、簀の子２０及び２１の上面と、枠部２４ａ、２４ｂ、２４ｃ及び２４ｄの上面とに段差がないので、各種の処置を施すときに作業がしやすいという利点もある。
【００２５】
架設棒１２ａ及び１２ｂは、架設棒１１ａ及び１１ｂと同様に、シンク２２の内側面２２ａと内側面２２ｄとの間に架設されており、内側面２２ｂ及び２２ｃに対して平行になる。くわえて、架設棒１２ａ及び１２ｂは、ほぼ中間となる深さに配置されている。また、架設棒１２ａ及び１２ｂとの間隙は、簀の子２０及び２１の長手方向の長さよりも短い。この構成によって、図４（ｂ）、図６（ｂ）及び図７（ｂ）に示すように、架設棒１２ａ及び１２ｂに対しても簀の子２０及び２１を載置することができる。また、従来技術に係る動物用処置台のように、シンク２２の内部に簀の子２０及び２１を載置するために段差部を形成する必要がない。さらに、簀の子２０を架設棒１１ａ及び１１ｂに載置し、簀の子２１を架設棒１２ａ及び１２ｂに載置することによって、２枚の簀の子に段差を設けることもできる。なお、処置する動物が比較的大型である場合には、簀の子２０及び２１を取り外してシンク２２の底面２２ｅに立たせればよい。以上のように、簀の子２０及び２１を、架設棒１１ａ及び１１ｂに載置する、架設棒１２ａ及び１２ｂに載置する、取り外す、の３つの対応によって、動物の大きさや処置の種類に応じた使い方ができる。また、図６などに示した排水トラップ２７の清掃の際には、簀の子２０のみを取りはずせばよいので、簀の子２１に清掃用品などを置いて作業をすることができる。
【００２６】
また、図７に示すように、架設棒１１ａ及び架設棒１２ａと内側面２２ｂとの間、並びに、架設棒１１ｂ及び架設棒１２ｂと内側面２２ｂとの間には、簀の子２０と簀の子２１とを並べた状態で挿入できる間隙をそれぞれ設けている。したがって、図５（ａ）に示すように、簀の子２０と簀の子２１との両方を架設棒１１ａ及び架設棒１２ａと内側面２２ｂとの間に挿入することが可能である上に、図５（ａ）の簀の子２０と簀の子２１とをこれらの間隙に別々に挿入することも可能である。また、挿入した簀の子２０及び２１は、架設棒１１ａ及び架設棒１２ａ、又は、架設棒１１ｂ及び架設棒１２ｂによって倒れないように保持されるので、これらの間隙を簀の子２０及び２１の収納スペースとして利用することが可能である。なお、収納した簀の子２０及び２１の上端部は、これらの枠に指を掛けて引き上げやすくするために、枠部２４ａ、２４ｂ、２４ｃ及び２４ｄの上面よりも若干高く位置するように設定している。したがって、図１４に示した従来技術に係る動物用処置台のように、取り外した簀の子２０及び２１を床の上などに置く必要がないので、簀の子２０及び２１につまずくことがなくなる。また、簀の子２０及び２１を収納するスペースが４つあるので、各種の処置を施すときに作業がしやすいスペースを選択して収納できるという利点もある。
【００２７】
さらに、架設棒に載置した簀の子を収納する手順と、収納した簀の子を架設棒に載置する手順について説明する。図１は、第１の実施の形態に係る動物用処置台における簀の子の挿脱手順の一例を示す一部を破断した右側面図（１）である。また、図２は、第１の実施の形態に係る動物用処置台における簀の子の挿脱手順の一例を示す一部を破断した右側面図（２）である。さらに、図３は、第１の実施の形態に係る動物用処置台における簀の子の挿脱手順の一例を示す一部を破断した右側面図（３）である。図１、図２及び図３について用いた符号はすべて図７と同じものを示す。
【００２８】
まず、図４（ａ）、図６（ａ）及び図７（ａ）に示している、簀の子２０及び２１を架設棒１１ａ及び１１ｂに載置した状態から図５（ｂ）に示した収納した状態までの収納手順を述べる。図１（ａ）に示すように、簀の子２０を持ち上げて持ち上げた後、垂直状態でぶら下げながら架設棒１１ａ及び架設棒１２ａと内側面２２ｂとの間に挿入して行く。次に、図１（ｂ）に示すように、簀の子２１を持ち上げ後、垂直状態でぶら下げながら架設棒１１ｂ及び架設棒１２ｂと内側面２２ｂとの間に挿入して行く。以上の手順によって、図５（ｂ）に示した状態となる。
【００２９】
続けて、図５（ｂ）に示した状態から、図４（ｂ）、図６（ｂ）及び図７（ｂ）に示している、簀の子２０及び２１を架設棒１２ａ及び１２ｂに載置した状態までの載置手順を述べる。図２（ａ）に示すように、簀の子２０の上端部付近を持ち、架設棒１１ａ及び架設棒１２ａと内側面２２ｂとの間から引き上げる。次に、図２（ｂ）に示すように、簀の子２０を架設棒１２ｂ側が低くなるように傾けながら、架設棒１２ｂ、架設棒１２ａの順に載置する。さらに、図３（ｃ）に示すように、簀の子２１を持ち、架設棒１１ｂ及び架設棒１２ｂと内側面２２ｂとの間から引き上げる。最後に、図３（ｄ）に示すように、簀の子２１を架設棒１２ａ側が低くなるように傾けながら、架設棒１２ａ、架設棒１２ｂの順に載置する。
【００３０】
以上の実施の形態の説明において、架設棒１１ａ、１１ｂ、１２ａ及び１２ｂを丸棒状とし、２本を一組として２組配置したものについて説明したが、以下に述べるように、架設材の外形又は本数はこれに限られるものではない。図８は、架設材の変形例を示す一部を破断した右側面図である。図８において、１３ａ及び１３ｂは架設棒、１４ａ、１４ｂ、１５ａ及び１５ｂは架設板であり、その他の符号は図１と同じものを示す。
【００３１】
図８（ａ）は、架設棒１１ａ及び１１ｂと、架設棒１２ａ及び１２ｂとを上下２段階に配置した下に、さらに架設棒１３ａ及び１３ｂを設けた例である。３組の架設棒を設けることによって、簀の子２０及び２１の高さをよりきめ細かく調整できるようにしたものである。さらに、シンク２２の深さが図８（ａ）に示したものよりも深い場合には、さらに４組又は５組以上設けてもよい。逆に、シンク２２が浅い場合には、架設棒１１ａ及び１１ｂのみを設けてもよい。いずれにせよ、本発明は、シンクの深さに応じて設ける架設材の組数を適宜変更することが可能である。また、図８（ｂ）に示したものは、板状の架設板１４ａ、１４ｂ、１５ａ及び１５ｂを設けている。架設板１４ａ、１４ｂ、１５ａ及び１５ｂは、例えばシンク２２並びに簀の子２０及び２１が大型であり、強固な架設材を要求される場合などに好適である。
【００３２】
次に、本発明の第２の実施の形態に係る動物用処置台について説明する。図９は、第２の実施の形態に係る動物用処置台を示す図であり、（ａ）は一部を破断した右側面図、（ｂ）は簀の子を取り外した状態の平面図である。図９において、１１及び１２は架設棒、１６ａ、１６ｂ、１６ｃ、１７ａ、１７ｂ及び１７ｃは持ち送りであり、その他の符号は図１及び図５と同じである。
【００３３】
本発明の第２の実施の形態に係る動物用処置台１０は、図９に示すように、内側面２２ｃの手前に架設材として架設棒１１及び１２を設けている。また、内側面２２ｂ側には、図１の架設棒１１（ｂ）及び１２（ｂ）に相当する架設材は設けていないが、これらの架設材に対応する高さに持ち送り１６ａ、１６ｂ及び１６ｃと、持ち送り１７ａ、１７ｂ及び１７ｃを設けている。持ち送り１６ａ、１６ｂ及び１６ｃは、架設棒１１と同じ高さに形成されており、架設棒１１に向かって突出するように形成され、さらに上部に簀の子を載置するための平坦面が形成されている。また、持ち送り１６ａと持ち送り１６ｃとは、簀の子２０と簀の子２１とのシンク２２の隅に近い隅部を支持するのに対し、持ち送り１６ｂは、簀の子２０と簀の子２１との両方の隣り合う隅部を支持するために他のものよりも大きく形成されている。持ち送り１７ａ、１７ｂ及び１７ｃは、架設棒１２と同じ高さに形成されており、形状及び大きさは持ち送り１６ａ、１６ｂ及び１６ｃとそれぞれ同様に形成されている。
【００３４】
この実施の形態では、簀の子２０及び２１を載置するための手段として、２本の架設材と６つの持ち送り（ブラケット）とを設けている。したがって、６つの持ち送りを設けた内側面２２ｂ側には、簀の子２０及び２１を挿入して保持するための閉空間が存在しない。したがって、この実施の形態は、例えば周辺機材のレイアウトなどの関係で、シンク２２の内側面２２ｂ側に簀の子２０及び２１を収納しておくことが困難である、又は内側面２２ｃ側に収納する方が好ましい場合に好適と言える。さらに、６つの持ち送りを形成した内側面２２ｂ側には簀の子２０及び２１を挿入して保持するための閉空間が存在しないので、シンク２２内を広く使えるという利点もある。
【００３５】
次に、本発明の第３の実施の形態に係る動物用処置台について説明する。図１０は、第３の実施の形態に係る動物用処置台を示す図であり、（ａ）は簀の子を収納した状態の平面図、（ｂ）は簀の子を収納した状態の正面図である。図１０において、１６ｄ、１６ｅ、１７ｄ及び１７ｅは持ち送り、１８及び１９は架設棒であり、その他の符号は図１及び図５と同じである。
【００３６】
本発明の第３の実施の形態に係る動物用処置台１０は、図１０に示すように、内側面２２ｄの手前に架設材として架設棒１８及び１９を設けている。架設棒１８と架設棒１９とは、内側面２２ｂと内側面２２ｃとの間に架設されており、図９の架設棒１１（ａ）と架設棒１２（ａ）とに対応する高さ位置している。また、内側面２２ｂと２２ｃと手前には、図１の架設棒１１（ａ）及び１２（ａ）と、架設棒１１（ｂ）及び１２（ｂ）とに相当する架設材は設けていない。その一方、図１の４本の架設材に対応する高さに、持ち送り１６ｄ及び１６ｅ、並びに、持ち送り１７ｄ及び１７ｅと、持ち送り１６ａ及び１６ｂ、並びに、持ち送り１７ａ及び１７ｂとをそれぞれ設けている。また、持ち送り１６ｂ、１６ｄ、１７ｂ及び１７ｄは、図９の持ち送り１６ｂと同様に、簀の子２０と簀の子２１との両方の隅部を支持するために大きく形成されている。したがって、簀の子２１は、架設棒１８、持ち送り１６ｂ及び１６ｅからなるグループと、架設棒１９、持ち送り１７ｂ及び１７ｅからなるグループとによって、図１の架設棒１１（ａ）及び１１（ｂ）と、架設棒１２（ａ）及び１２（ｂ）とに対応する高さで載置することができる。
【００３７】
この実施の形態では、簀の子２０及び２１を載置するための手段として、２本の架設材と８つの持ち送りとを設けている。したがって、簀の子２０及び２１を収納しておく１つの閉空間が形成されている点で第２の実施の形態に係る動物用処置台１０と共通しているが、８つの持ち送りを設けた内側面２２ｂ及び２２ｃ側には、簀の子２０及び２１を挿入して保持するための閉空間が存在しない。したがって、この実施の形態は、例えば周辺機材のレイアウトなどの関係で、シンク２２の内側面２２ｄ側、すなわちシャワーノズル２５及び給水栓ハンドル２６から最も遠い位置に簀の子２０及び２１を収納しておくことが好ましい場合に好適と言える。さらに、内側面２２ｂ及び２２ｃの間には簀の子２０及び２１を挿入して保持するための閉空間が存在しないので、簀の子２０及び２１を移動させる距離が長くなるものの、シンク２２内をさらに広く使えるという利点がある。
【００３８】
次に、本発明の第４の実施の形態に係る動物用処置台について説明する。図１１は、第４の実施の形態に係る動物用処置台を示す図であり、（ａ）は一部を破断した右側面図、（ｂ）は簀の子を収納した状態の平面図である。図１１において、２８ａ、２８ｂ、２９ａ、２９ｂ、３０ａ、３０ｂ、３１ａ及び３１ｂは架設棒であり、その他の符号は図１及び図５と同じである。また、図１２は、第４の実施の形態に係る動物用処置台における簀の子を取り外した状態の正面図である。図１２において用いた符号は、すべて図１１と同じものを示す。
【００３９】
本発明の第４の実施の形態に係る動物用処置台１０は、図１１及び図１２に示すように、内側面２２ｂには、両端部を湾曲させることによって両端部共に内側面２２ｂに接続した架設棒２８ａ、２９ａ及び３１ａを設けている。内側面２２ｂとこれらの架設棒と架設棒２８ａ、２９ａ及び３１ａとの間には、これらに囲まれた閉空間が３つ形成されている。これら３つの閉空間には、簀の子２０又は簀の子２１を１枚のみ挿入することが可能である。また、架設棒２８ａと架設棒２９ａとは、底面２２ｅから同じ高さで、かつ、上端が枠部２４ａ、２４ｂ、２４ｃ及び２４ｄの上面よりも簀の子２０及び２１の厚みだけ低くなるように配置されている。さらに、架設棒２８ａの下には架設棒３０ａを設けている。架設棒３０ａは、架設棒３１ａ側の端部が内側面２２ｂ側に湾曲することによって内側面２２に接続されており、反対側の端部が内側面２２ａに接続されている。したがって、架設棒３０ａと内側面２２ａ及び２２ｂとによって１つの閉空間が形成されている。この閉空間には、簀の子２０又は簀の子２１を１枚のみ挿入することが可能である。くわえて、架設棒３１ａ側の端部は、架設棒２８ａの架設棒２９ａ側の端部と垂直方向において同位置となるように、かつ、架設棒３１ａと底面２２ｅから同じ高さになるように設けられている。架設棒３１ａは、両端部が架設棒２９ａの両端部と垂直方向において同位置となるように設けられている。したがって、架設棒２８ａと架設棒３０ａと内側面とによって形成される２つの閉空間に１枚の簀の子を挿入して保持させることが可能である。同じように、架設棒２９ａと架設棒３１ａと内側面とによって形成される２つの閉空間に１枚の簀の子を挿入して保持させることが可能である。
【００４０】
さらに、内側面２２ｂと対向する内側面２２ｃには、架設棒２８ｂ、２９ｂ、３０ｂ及び３１ｂを設けている。架設棒２８ｂ、２９ｂ、３０ｂ及び３１ｂは、架設棒２８ａ、２９ａ、３０ａ及び３１ａと、それぞれ同じ大きさ及び形状で、かつ、同じ高さに設けられている。したがって、互いに対向している架設棒２８ａと架設棒２８ｂ、架設棒２８ａと架設棒２８ｂ、架設棒３０ａと架設棒３０ｂとに１枚の簀の子を載置することができる。また、架設棒２８ｂと架設棒３０ｂと内側面とによって形成される２つの閉空間に１枚の簀の子を挿入して保持させることが可能である。同じように、架設棒２９ｂと架設棒３１ｂと内側面とによって形成される２つの閉空間に１枚の簀の子を挿入して保持させることが可能である。
【００４１】
この実施の形態では、第１の実施の形態などよりも架設棒が短く、また、同時に載置される簀の子は１枚だけである。したがって、第１の実施の形態などでは使用できない剛性の小さい細い棒を使用することができる。また、架設棒は短いが、簀の子を２段階の高さに配置できる点は第１の実施の形態と全く同様であり、第１の実施の形態と同様の作用効果を有する。
【００４２】
次に、本発明の第５及び第６の実施の形態に係る動物用処置台について説明する。図１３は、第５及び第６の実施の形態に係る動物用処置台を示す図であり、（ａ）は第５の実施の形態に係る動物用処置台の平面図、（ｂ）は第６の実施の形態に係る動物用処置台の平面図である。図１３において、３２、３３、３４及び３５は架設棒、３６、３７、３８及び
３９は持ち送りであり、その他の符号は図１及び図５と同じである。
【００４３】
本発明の第５の実施の形態に係る動物用処置台１０は、図１３（ａ）に示すように、第４の実施の形態に係る動物用処置台１０と同一構成の架設棒２８ａ及び３０ａを設けているが、架設棒３２及び３３は約半分が内側面２２ｂでなく、内側面２２ｄに対して平行に延びて一方の端部が内側面２２ｄに接続されている。なお、架設棒３２及び３３と内側面２２ｄとの間には、簀の子を１枚挿入できる間隙を設けている。さらに、架設棒３４と架設棒３５とは、それぞれ１本で架設棒２８ｂ及び２９ｂと、架設棒３０ｂ及び３１ｂとを合わせた作用を有する。したがって、この実施の形態においては、第３の実施の形態に係る動物用処置台１０と同様に、シンク２２の内側面２２ｄ側、すなわちシャワーノズル２５及び給水栓ハンドル２６から最も遠い位置に簀の子２０又は２１を収納しておくことできる。
【００４４】
さらに、本発明の第６の実施の形態に係る動物用処置台１０は、図１３（ｂ）に示すように、第５の実施の形態に係る動物用処置台１０と同一構成の架設棒２８ａ及び３０ａ、並びに、架設棒３２及び３３を設けているが、架設棒３４及び３５に代えて、持ち送り３６、３７、３８及び３９を設けている。したがって、第３の実施の形態に係る動物用処置台１０と同様に、シンク２２の内側面２２ｄ側に簀の子２０又は２１を収納しておくことできると共に、内側面２２ｃの間には簀の子２０及び２１を挿入して保持するための閉空間が存在しないので、簀の子２０及び２１を移動させる距離が長くなるものの、シンク２２内をさらに広く使えるという利点もある。
【００４５】
以上のように、本発明の実施の形態においては、簀の子２０及び２１を架設棒１１（ａ）などに載置したり取り外したりすることが非常に容易で機動的な使い方が可能である。また、取り外した簀の子２０及び２１は、架設棒１１（ａ）などで形成されている閉空間に挿入して保持することができ、獣医師等の処置の妨げにならないように収納できる。また、収納しておく位置もシンク２２のシャワーノズル２５及び給水栓ハンドル２６を設けた部位を除いて各部に設定できる。さらに、図１４の従来技術のように、シンク２２の下側を絞ってすべての内側面に段差を形成する必要がないので、シンク２２の内容量が大きくなり、各種の処置を施しやすくなる。
【００４６】
なお、本発明は以上に説明した内容に限定されるものではなく、例えば、架設材の断面形状を楕円形状にする又は（中空のある）円形にする、簀の子をグレーチング状ではなく格子状にする又は微細な貫通孔を多数形成したものにする、簀の子を架設棒に載置しているときに架設棒上をずれ動くことのないように簀の子の下面に突起又は滑り止めを設ける、持ち送りに変えてシンクの内側面自体に持ち送り状の突起を形成してここに簀の子を載置する、シンクの内側面自体に持ち送り状の突起を形成してここに架設材を載置するようにして架設材自体を着脱自在にする、２枚の簀の子を連結して折りたたみ可能な１枚の簀の子にする、簀の子を閉空間に挿入するときに、簀の子が手から滑り落ちてシンクの底面に激突することを防止するために簀の子の縁辺に緩衝材を貼り付ける、簀の子を閉空間から引き上げるときに、簀の子と架設棒が擦れ合って不快な音を出すことを防止するために架設棒に外皮を設ける、などについては、各請求項に記載した範囲を逸脱しない限りにおいて種々の変形を加えることが可能である。
【符号の説明】
【００４７】
１０    動物用処置台
１１    架設棒
１１ａ  架設棒
１１ｂ  架設棒
１２    架設棒
１２ａ  架設棒
１２ｂ  架設棒
１３ａ  架設棒
１３ｂ  架設棒
１４ａ  架設板
１４ｂ  架設板
１５ａ  架設板
１５ｂ  架設板
１６ａ  持ち送り
１６ｂ  持ち送り
１６ｃ  持ち送り
１６ｄ  持ち送り
１６ｅ  持ち送り
１７ａ  持ち送り
１７ｂ  持ち送り
１７ｃ  持ち送り
１７ｄ  持ち送り
１７ｅ  持ち送り
１８    架設棒
１９    架設棒
２０    簀の子
２１    簀の子
２２    シンク
２２ａ  内側面
２２ｂ  内側面
２２ｃ  内側面
２２ｄ  内側面
２２ｅ  底面
２３    段差部
２４ａ  枠部
２４ｂ  枠部
２４ｃ  枠部
２４ｄ  枠部
２５    シャワーノズル
２６    給水栓ハンドル
２７    排水トラップ
２８ａ  架設棒
２８ｂ  架設棒
２９ａ  架設棒
２９ｂ  架設棒
３０ａ  架設棒
３０ｂ  架設棒
３１ａ  架設棒
３１ｂ  架設棒
３２    架設棒
３３    架設棒
３４    架設棒
３５    架設棒
３６    持ち送り
３７    持ち送り
３８    持ち送り
３９    持ち送り
４０    動物用処置台
４１    カバー体
４２    簀の子
４３    簀の子
４４    シャワーヘッド
４５    給水栓ハンドル
【図１】
0005524027.tif 000002
【図２】
0005524027.tif 000003
【図３】
0005524027.tif 000004
【図４】
0005524027.tif 000005
【図５】
0005524027.tif 000006
【図６】
0005524027.tif 000007
【図７】
0005524027.tif 000008
【図８】
0005524027.tif 000009
【図９】
0005524027.tif 000010
【図１０】
0005524027.tif 000011
【図１１】
0005524027.tif 000012
【図１２】
0005524027.tif 000013
【図１３】
0005524027.tif 000014
【図１４】
0005524027.tif 000015